(57)【要約】データ構造は、少なくとも一つのプレイリスト、第１エントリー・ポイント・マップ、及び第２エントリー・ポイント・マップを格納する、記録媒体についてのナビゲーション領域を含む。プレイリストは、少なくとも一つのプレイアイテムと少なくとも一つのサブプレイアイテムを含む。プレイアイテムは、第１ファイルから少なくとも一つのスチール・ピクチャを再生するためのナビゲーション情報を提供し、サブプレイアイテムは、第２ファイルからオーディオ・データを再生するためのナビゲーション情報を提供する。第１エントリー・ポイント・マップは、スチール・ピクチャを指し示す少なくとも一つのエントリー・ポイントを含み、第２エントリー・ポイント・マップはオーディオ・データを指し示す少なくとも一つのエントリー・ポイントを含む。
2006520060.tif 000002
【特許請求の範囲】
【請求項１】
スチール・ピクチャの再生を管理するためのデータ構造を有する記録媒体であって、
少なくとも一つのプレイリスト、第１エントリー・ポイント・マップ、及び第２エントリー・ポイント・マップを格納するナビゲーション領域を備え、
前記プレイリストは、少なくとも一つのプレイアイテムと少なくとも一つのサブプレイアイテムとを含み、
前記プレイアイテムは、第１ファイルから少なくとも一つのスチール・ピクチャを再生するためのナビゲーション情報を提供し、
前記サブプレイアイテムは、第２ファイルからオーディオ・データを再生するためのナビゲーション情報を提供し、
前記第１エントリー・ポイント・マップは、前記スチール・ピクチャを指し示す少なくとも一つのエントリー・ポイントを含み、
前記第２エントリー・ポイント・マップは、前記オーディオ・データを指し示す少なくとも一つのエントリー・ポイントを含む
ことを特徴とする記録媒体。
【請求項２】
前記第１エントリー・ポイント・マップの前記エントリー・ポイントは、前記スチール・ピクチャのアドレスを提供することを特徴とする請求項１に記載の記録媒体。
【請求項３】
前記プレイアイテムは、複数のスチール・ピクチャを再生するためのナビゲーション情報を提供し、
前記第１エントリー・ポイント・マップは、各スチール・ピクチャに関連付けられたエントリー・ポイントを含み、前記エントリー・ポイントは、前記関連するスチール・ピクチャを指し示すことを特徴とする請求項１に記載の記録媒体。
【請求項４】
前記第２エントリー・ポイント・マップは、複数のエントリー・ポイントを含み、各エントリー・ポイントは、前記オーディオ・データ内の位置を指し示すことを特徴とする請求項３に記載の記録媒体。
【請求項５】
複数のスチール・ピクチャを含む第１クリップ・ファイルと、オーディオ・データを含む第２クリップ・ファイルとを格納するデータ領域をさらに備えることを特徴とする請求項４に記載の記録媒体。
【請求項６】
前記第２エントリー・ポイント・マップは、複数のエントリー・ポイントを含み、各エントリー・ポイントは、前記オーディオ・データ内の位置を指し示すことを特徴とする請求項１に記載の記録媒体。
【請求項７】
前記第１ファイルと前記第２ファイルとを格納するデータ領域をさらに備えることを特徴とする請求項１に記載の記録媒体。
【請求項８】
前記プレイアイテムは、前記第１ファイルからプレゼンテーション・データを再生するためのナビゲーション情報を提供し、前記プレゼンテーション・データは、少なくともスチール・ピクチャ及び前記スチール・ピクチャに関連付けられた関連データを備えることを特徴とする請求項１に記載の記録媒体。
【請求項９】
前記関連データは、グラフィック・データを含むことを特徴とする請求項８に記載の記録媒体。
【請求項１０】
前記関連データは、サブタイトル・データを含むことを特徴とする請求項８に記載の記録媒体。
【請求項１１】
前記プレゼンテーション・データは、一つ以上のスチール・ピクチャ・ユニットで区分され、各スチール・ピクチャ・ユニットは少なくとも一つのスチール・ピクチャ及び関連付けられた関連データを含むことを特徴とする請求項８に記載の記録媒体。
【請求項１２】
前記プレゼンテーション・データは、スチール・ピクチャ・ユニット・ベースで、スチール・ピクチャ・ユニットのトランスポート・ストリームに多重化されることを特徴とする請求項１１に記載の記録媒体。
【請求項１３】
前記プレゼンテーション・データの各エレメンタリー・ストリームは、前記スチール・ピクチャ・ユニット内で整列されることを特徴とする請求項１２に記載の記録媒体。
【請求項１４】
各エレメンタリー・ストリームは、パケット化されたエレメンタリー・ストリームであることを特徴とする請求項１３に記載の記録媒体。
【請求項１５】
各スチール・ピクチャ・ユニットは、各パケット化されたエレメンタリー・ストリームからの一つのパケットを含むことを特徴とする請求項１４に記載の記録媒体。
【請求項１６】
オーディオ・データを含まない前記第１ファイルを格納するデータ領域をさらに備えることを特徴とする請求項１に記載の記録媒体。
【請求項１７】
スチール・ピクチャの再生を管理するためのデータ構造を有する記録媒体であって、
少なくとも一つのプレイリスト、第１エントリー・ポイント・マップ、及び第２エントリー・ポイント・マップを格納するナビゲーション領域を備え、
前記プレイリストは、少なくとも一つのプレイアイテムと少なくとも一つのサブプレイアイテムとを含み、
前記プレイアイテムは、第１データ・ストリームから少なくとも一つのスチール・ピクチャを再生するためのナビゲーション情報を提供し、
前記サブプレイアイテムは、前記第１データ・ストリームとは別個の第２データ・ストリームからオーディオ・ストリームを再生するためのナビゲーション情報を提供し、
前記第１エントリー・ポイント・マップは、前記スチール・ピクチャを指し示す少なくとも一つのエントリー・ポイントを含み、
前記第２エントリー・ポイント・マップは、前記オーディオ・ストリームを指し示す少なくとも一つのエントリー・ポイントを含む
ことを特徴とする記録媒体。
【請求項１８】
少なくともスチール・ピクチャの再生を管理するためのデータ構造を記録媒体に記録する方法であって、
少なくとも一つのプレイリスト、第１エントリー・ポイント・マップ、及び第２エントリー・ポイント・マップを前記記録媒体に記録することを備え、
前記プレイリストは、少なくとも一つのプレイアイテムと少なくとも一つのサブプレイアイテムとを含み、
前記プレイアイテムは、第１ファイルから少なくとも一つのスチール・ピクチャを再生するためのナビゲーション情報を提供し、
前記サブプレイアイテムは、第２ファイルからオーディオ・データを再生するためのナビゲーション情報を提供し、
前記第１エントリー・ポイント・マップは、前記スチール・ピクチャを指し示す少なくとも一つのエントリー・ポイントを含み、
前記第２エントリー・ポイント・マップは、前記オーディオ・データを指し示す少なくとも一つのエントリー・ポイントを含む
ことを特徴とする方法。
【請求項１９】
記録媒体に記録された少なくともスチール・ピクチャの再生を管理するためのデータ構造を再生する方法であって、
少なくとも一つのプレイリスト、第１エントリー・ポイント・マップ、及び第２エントリー・ポイント・マップを前記記録媒体から再生することを備え、
前記プレイリストは、少なくとも一つのプレイアイテムと少なくとも一つのサブプレイアイテムとを含み
前記プレイアイテムは、第１ファイルから少なくとも一つのスチール・ピクチャを再生するためのナビゲーション情報を提供し、
前記サブプレイアイテムは、第２ファイルからオーディオ・データを再生するためのナビゲーション情報を提供し、
前記第１エントリー・ポイント・マップは、前記スチール・ピクチャを指し示す少なくとも一つのエントリー・ポイントを含み、
前記第２エントリー・ポイント・マップは、前記オーディオ・データを指し示す少なくとも一つのエントリー・ポイントを含む
ことを特徴とする方法。
【請求項２０】
少なくともスチール・ピクチャの再生を管理するためのデータ構造を記録媒体に記録する装置であって、
前記記録媒体にデータを記録する光学記録デバイスを駆動するドライバ、及び
少なくとも一つのプレイリスト、第１エントリー・ポイント・マップ、及び第２エントリー・ポイント・マップを前記記録媒体に記録する前記ドライバを制御するコントローラ
を備え、
前記プレイリストは、少なくとも一つのプレイアイテムと少なくとも一つのサブプレイアイテムを含み、
前記プレイアイテムは、第１ファイルから少なくとも一つのスチール・ピクチャを再生するためのナビゲーション情報を提供し、
前記サブプレイアイテムは、第２ファイルからオーディオ・データを再生するためのナビゲーション情報を提供し、
前記第１エントリー・ポイント・マップは、前記スチール・ピクチャを指し示す少なくとも一つのエントリー・ポイントを含み、
前記第２エントリー・ポイント・マップは、前記オーディオ・データを指し示す少なくとも一つのエントリー・ポイントを含む
ことを特徴とする装置。
【請求項２１】
記録媒体に記録された少なくともスチール・ピクチャの再生を管理するためのデータ構造を再生する装置であって、
前記記録媒体に記録されるデータを再生する光学再生デバイスを駆動するドライバ、及び
少なくとも一つのプレイリスト、第１エントリー・ポイント・マップ、及び第２エントリー・ポイント・マップを前記記録媒体から再生する前記ドライバを制御するコントローラ
を備え、
前記プレイリストは、少なくとも一つのプレイアイテムと少なくとも一つのサブプレイアイテムを含み、
前記プレイアイテムは、第１ファイルから少なくとも一つのスチール・ピクチャを再生するためのナビゲーション情報を提供し、
前記サブプレイアイテムは、第２ファイルからオーディオ・データを再生するためのナビゲーション情報を提供し、
前記第１エントリー・ポイント・マップは、前記スチール・ピクチャを指し示す少なくとも一つのエントリー・ポイントを含み、
前記第２エントリー・ポイント・マップは、前記オーディオ・データを指し示す少なくとも一つのエントリー・ポイントを含む
ことを特徴とする装置。
【発明の詳細な説明】
【技術分野】
【０００１】
本発明は、記録媒体に記録される少なくともスチール・ピクチャ（Still Pictures）の再生を管理するためのデータ構造を有する記録媒体、それによる記録／再生方法及び装置に関する。
【０００２】
（背景技術）
最近、高品質のビデオ・データとオーディオ・データを高容量貯蔵することができる新しい高密度再生専用または再記録可能光ディスクに対する規格化作業が急速に展開されて、新しい光ディスク関連製品がまもなく商用化されることに期待されている。このような新しい光ディスクに対する例としては、再記録可能ブルーレイ・ディスク（ＢＤ−ＲＥ：Blue-ray Disc Rewritable）と読み取り専用ブルーレイ・ディスク（ＢＤ−ＲＯＭ）がある。
【０００３】
ＢＤ−ＲＥの規格が発表されたが、ＢＤ−ＲＯＭのような高密度再生専用光ディスクに対する規格化作業は相変らず進行中である。したがって、ＢＤ−ＲＯＭのような、高密度再生専用光ディスクに記録されるスチール・ピクチャの再生を管理するための効果的なデータ構造は、まだ用意されていない。
【０００４】
（発明の開示）
本発明による記録媒体には、記録媒体に記録される少なくともスチール・ピクチャの再生を管理するためのデータ構造が含まれる。
【０００５】
本発明の一実施形態では、この記録媒体のナビゲーション領域は、スチール・ピクチャ・データとオーディオ・データに対する別個のエントリー・ポイント・マップと少なくとも一つのプレイリストを格納する。このプレイリストは、少なくとも一つのプレイアイテムと、少なくとも一つのサブプレイアイテムとを含む。プレイアイテムは、第１ファイルから少なくとも一つのスチール・ピクチャを再生するためのナビゲーション情報を提供し、サブプレイアイテムは、第２ファイルからオーディオ・データを再生するためのナビゲーション情報を提供する。ナビゲーション領域内の第１エントリー・ポイント・マップはスチール・ピクチャを指し示す少なくとも一つのエントリー・ポイントを含み、ナビゲーション領域内の第２エントリー・ポイント・マップはオーディオ・データを指し示す少なくとも一つのエントリー・ポイントを含む。
【０００６】
例示的な実施形態では、プレイアイテムは、複数のスチール・ピクチャを再生するためのナビゲーション情報を提供して、第１エントリー・ポイント・マップは各スチール・ピクチャに関連付けられたエントリー・ポイントを含み、エントリー・ポイントは、関連付けられたスチール・ピクチャを指し示す。
【０００７】
同様に、例示的な実施形態では、第２エントリー・ポイント・マップは複数のエントリー・ポイントを含み、各エントリー・ポイントはオーディオ・データ内の位置を指し示す。
【０００８】
他の実施形態において、記録媒体のデータ領域は複数のスチール・ピクチャを含む第１クリップ・ファイルとオーディオ・データを含む第２クリップ・ファイルを格納する。
【０００９】
他の例示的実施形態では、ナビゲーション領域は、少なくとも一つのプレイリスト、第１エントリー・ポイント・マップ、及び第２エントリー・ポイント・マップを含む。プレイリストは、少なくとも一つのプレイアイテムと少なくとも一つのサブプレイアイテムを含む。プレイアイテムは、第１データ・ストリームから少なくとも一つのスチール・ピクチャを再生するためのナビゲーション情報を提供し、サブプレイアイテムは、第１データ・ストリームとは別個の第２データ・ストリームからオーディオ・ストリームを再生するためのナビゲーション情報を提供する。第１エントリー・ポイント・マップは、スチール・ピクチャを指し示す少なくとも一つのエントリー・ポイントを含み、第２エントリー・ポイント・マップは、オーディオ・ストリームを指し示す少なくとも一つのエントリー・ポイントを含む。
【００１０】
また、本発明は、本発明によるデータ構造を記録して再生するための、及び本発明によるスライド・ショーを記録して再生するための、装置と方法が提示される。
【００１１】
（発明を実施するための最良の形態）
本発明が完全に理解されるように、実施形態に対して、添付した図面を参照しながら詳細に説明する。
【００１２】
本発明による高密度光ディスク、例えばＢＤ−ＲＯＭ、ＢＤ−ＲＥなどの高密度記録媒体は、図１に示したように、ビデオ・データとオーディオ・データの再生を管理するファイルまたはデータ構造を有することができる。図１のような、本発明によるデータ構造のいくつかの面は、公知のＢＤ−ＲＥのデータ構造と同様であり、したがって、このような面はレビューされるが、詳細な説明を省略する。
【００１３】
図１に示したように、ルート・ディレクトリには少なくとも一つのＢＤディレクトリを収容する。このＢＤディレクトリには、ゼネラル・ファイル（図示せず）、プレイリスト（例えば、*．ｍｐｌｓ）ファイルが格納されるＰＬＡＹＬＩＳＴディレクトリ、クリップ情報ファイル（*．ｃｌｐｉ）が格納されるクリップ情報（ＣＬＩＰＩＮＦ）ディレクトリ、及びクリップ情報ファイルに対応するＭＰＥＧ−２フォーマットのＡ／Ｖストリーム・クリップ・ファイル（*．ｍ２ｔｓ）が格納されるＳＴＲＥＡＭディレクトリが含まれる。
【００１４】
このＳＴＲＥＡＭディレクトリには、クリップ・ストリーム・ファイルまたは、単にクリップ・ファイルと呼ばれるＭＰＥＧ−２フォーマットのＡ／Ｖストリーム・ファイルが含まれる。このＡ／Ｖストリームには、ビデオとオーディオのソース・パケット（Source Packets）が含まれる。例えば、ビデオ・データのソース・パケットには、ヘッダーとトランスポート・パケット（Transport Packet）が含まれる。ソース・パケットにはソース・パケット番号が含まれ、このソース・パケット番号は、一般的に次々と割り当てられる番号であり、これは、そのソース・パケットにアクセスするためのアドレス役割をする。トランスポート・パケットには、パケット識別子（ＰＩＤ：Packet Identifier）が含まれる。このＰＩＤは、トランスポート・パケットが属するトランスポート・パケットのシーケンス（Sequence）を識別する。このシーケンスの各トランスポート・パケットは、同じＰＩＤを有する。
【００１５】
ＣＬＩＰＩＮＦディレクトリには、各Ａ／Ｖストリーム・ファイルに関連付けられたクリップ情報ファイルが含まれる。このクリップ情報ファイルは、関連付けられたＡ／Ｖストリームのタイプ、シーケンス情報、プログラム情報、及びタイミング情報が含まれる。このシーケンス情報は、到着時間基準（ＡＴＣ）とシステム時間基準（ＳＴＣ）のシーケンスを記述する。例えば、シーケンス情報はシーケンスの数、各シーケンスのスタートと終わりの時間情報、各シーケンスでの１番目ソース・パケットのアドレス、及び各シーケンスでのトランスポート・パケットのＰＩＤを指し示す。プログラムのコンテンツがコンスタントな（休み無く続く）ソース・パケットのシーケンスは、プログラム・シーケンスと呼ばれる。プログラム情報は、プログラム・シーケンスの数、各プログラム・シーケンスのスタート・アドレス、及びプログラム・シーケンス内のトランスポート・パケットのＰＩＤを指し示す。
【００１６】
このタイミング情報は、特性ポイント情報（ＣＰＩ：Characteristic Point Information）と呼ばれる。ＣＰＩの一つの形式（form）は、エントリー・ポイント（ＥＰ：Entry Point）マップ（Ｍａｐ）である。このＥＰマップは、プレゼンテーション・タイム・スタンプ（ＰＴＳ：Presentation Time Stamp）（たとえば、到着時間基準（ＡＴＣ）で、及び／またはシステム時間基準（ＳＴＣ）で）を、ソース・パケット番号（ＳＰＮ：Source Packet Number）などのソース・パケット・アドレスに、マップ（map）する。プレゼンテーション・タイム・スタンプ（ＰＴＳ）とソース・パケット番号（ＳＰＮ）は、Ａ／Ｖストリームにあるエントリー・ポイント（ＥＰ）に関連付ける。すなわち、ＰＴＳとこれと関連したＳＰＮは、Ａ／Ｖストリームのエントリー・ポイント（ＥＰ）を指し示す。指し示されるパケットは、しばしばエントリー・ポイント・パケットと呼ばれる。
【００１７】
ＰＬＡＹＬＩＳＴディレクトリは、一つ以上のプレイリスト・ファイルを含む。プレイリストは、再生するクリップを容易に編集したり、組み合わたりするために導入された概念である。プレイリスト・ファイルは、そのクリップ内の再生区間（Playing Intervals）の集合であって、各再生区間は、プレイアイテム（Playitem）と呼ばれる。このプレイリスト・ファイルは、プレイリストを形成する各プレイアイテムを識別し、各プレイアイテムは、＿クリップの時間軸上の位置（例えばＡＴＣまたはＳＴＣを基準にするプレゼンテーション・タイム・スタンプ）を指し示すＩＮ−ｐｏｉｎｔとＯＵＴ−ｐｏｉｎｔからなる対である。このプレイリスト・ファイルは、クリップ・ファイルの時間軸上の位置を指し示すＩＮ−ｐｏｉｎｔとＯＵＴ−ｐｏｉｎｔの対をまた提供するサブプレイアイテム（sub-playitem）も含むことができる。言い換えると、プレイリスト・ファイルはプレイアイテムとサブプレイアイテムを識別して、各プレイアイテムまたはサブプレイアイテムは、一つのクリップ・ファイルまたはその一部を指し示し、そのクリップ・ファイルに関連付けられたクリップ情報ファイルを識別する。このクリップ情報ファイルは、プレイアイテムをソース・パケットのクリップ・ファイルにマップするのに使われる。プレイリストは、クリップ・ファイル内の特定位置（例えば、特定アドレス）を指し示すプレイリスト・マーク（Playlist mark）も含むことができる。
【００１８】
ゼネラル（一般）情報ファイル（図示せず）は、光ディスクに記録されるＡ／Ｖストリームの再生を管理するための一般情報を提供する。
【００１９】
図１では、本発明の実施形態による記録媒体のデータ構造を説明するだけでなく、記録媒体の領域を表現している。例えば、このゼネラル情報ファイルは、少なくとも一つ以上のゼネラル情報領域に記録され、ＰＬＡＹＬＩＳＴディレクトリは、少なくとも一つ以上のＰＬＡＹＬＩＳＴディレクトリ領域に記録され、ＰＬＡＹＬＩＳＴディレクトリ内の各プレイリストは、記録媒体の少なくとも一つ以上のプレイリスト領域に記録される。図２は、図１に示すデータ構造を有する記録媒体の一例を図示している。図示するように、この記録媒体は、ファイル・システム情報領域、データベース（Database）領域、そしてＡ／Ｖストリーム領域を含む。このデータベース領域は、ゼネラル情報ファイルとプレイリスト情報領域、及びクリップ情報領域を含む。このゼネラル情報ファイルとプレイリスト情報領域には、そのゼネラル情報ファイル領域に記録された一般情報ファイルと、プレイリスト情報領域のＰＬＡＹＬＩＳＴディレクトリとプレイリスト・ファイルが記録される。このクリップ情報領域には、ＣＬＩＰＩＮＦディレクトリと、関連されるクリップ情報ファイルが記録される。Ａ／Ｖストリーム領域には多様なタイトルのＡ／Ｖストリームが記録される。
【００２０】
ビデオとオーディオ・データは、一般的に個別のタイトルで編成されている。例えば、ビデオとオーディオ・データにより表現される個々の映画は、別々のタイトルで編成される。また、タイトルは、本が普通チャプター（Chapters）で編成されるように、多くのチャプターで編成することができる。
【００２１】
ＢＤ−ＲＯＭ、ＢＤ−ＲＥのような新しい高密度記録媒体の蓄積容量が非常に大きいため、この記録媒体には、個々のタイトル、あるタイトルの、あるいはあるタイトルの一部についていろいろなバージョンが、記録したり、また再生したりすることができる。例えば、他のカメラ角度のビデオ・データが記録媒体に記録したり、また、他の例として、個々の言語に関連付けられたタイトルあるいはその一部のいろいろなバージョンも、記録媒体に記録したりすることができる。また他の例として、タイトルに対する監督バージョン（Director's Version）または映画館用バージョンも記録媒体に記録することができる。または、タイトルにあるいはその一部について、完全成人バージョン、準成人バージョン、そして青少年バージョン（例えば、異なるパレンタル・コントロール・バージョン）が、その記録媒体に記録することができる。各バージョン、各カメラ・アングルなどは、個々の再生パスを表し、このような場合のビデオ・データは、多重再生パス・ビデオ・データ（Multiple Reproduction Path Video Data）と呼ばれる。
【００２２】
ＢＤ−ＲＯＭのような新しい高密度記録媒体の蓄積容量が大きいため、スチール・イメージやスチール・ピクチャは、例えばスライド・ショーのように、整理された（Organized）方式及び／またはユーザー・インタラクティブ（Interactive）方式で、記録されて再生されることができる。本発明の実施形態による、高密度光ディスク用の、スチール・ピクチャの再生を管理するためのデータ構造は、スチール・ピクチャを記録し、再生するための、本発明の実施形態による方法及び装置にしたがって説明される。
【００２３】
図３は、ＢＤ−ＲＯＭのような高密度記録媒体のスチール・イメージを管理するデータ構造と方法に対する実施形態を図式化したのである。図３に示したように、スチール・ピクチャ・ストリームと関連データ・ストリーム（グラフィック及びサブタイトル・ストリーム）は、スチール・イメージ・ベースでＰＥＳパケットにパケット化される。すなわち、各エレメンタリー・ストリーム（elementary stream）は、ＰＥＳパケットにパケット化される。スチール・ピクチャ・ストリームの各ＰＥＳパケットには、一つのスチール・ピクチャを含んで、関連データに関連付けられたＰＥＳパケットには、スチール・ピクチャに関連付けられる関連データ（関連付けられたスチール・ピクチャと同期して再生するためのデータ）が含まれる。また、図３にさらに図示したように、各ＰＥＳパケットのヘッダー領域にプレゼンテーション・タイム・スタンプ（ＰＴＳ：Presentation Time Stamp）が含まれる。下記で詳細に説明するように、このＰＴＳは、スチール・ピクチャのプレゼンテーション・デュレーション（Presentation Duration）を計算すること、及び／または、プレイリストにリンクすることに使用することができる。スチール・ピクチャは、これに同期して再生されることになる関連データと共に、スチール・ピクチャ・ユニット（still picture unit）にグルーピングされる。スチール・ピクチャ・ユニット・ベースで、スチール・ピクチャ・ストリームと関連データ・ストリームは、ＭＰＥＧ２トランスポート・ストリームのスチール・ピクチャ・ファイルに多重化（マルチプレックス）される。
【００２４】
図３は、スチール・ピクチャ・ファイルに対応するクリップ情報ファイルを図示している。このクリップ情報ファイルは、エントリー・ポイント・マップ（ＥＰ＿ＭＡＰ）が含む。このＥＰマップ内の各エントリー・ポイント（ＥＰ  ＃１〜＃ｋ）は、対応するスチール・ピクチャ・ユニットの先頭記録位置をアクセスするための、各ナビゲーション情報を収容する。このナビゲーション情報は、例えば対応するスチール・ピクチャ・ユニットの開始記録位置を指し示す、ソース・パケット番号エントリー・ポイント開始（ＳＰＮ_ＥＰ_Ｓｔａｒｔ：Source Packet Number EP Start）情報を含み、またこのスチール・ピクチャ・ユニットのＰＴＳも含む。下記で詳細に説明するように、ＰＴＳはスチール・ピクチャのプレゼンテーション・デュレーションを計算するのに使われることができる。
【００２５】
図４は、図３を参照にして上述したスチール・ピクチャ・ファイルの再生を制御するためのプレイリストとエントリー・ポイント・データ構造の他の実施形態を図示している。図４に示したように、プレイリスト内のプレイアイテム（PlayItem）は、再生するスチール・ピクチャ・ファイル内のスチール・イメージの開始位置と終了位置にそれぞれ対応するイン・タイム（ＩＮ_ｔｉｍｅ）情報とアウト・タイム（ＯＵＴ_ｔｉｍｅ）情報を収容する。プレイアイテムにより、イン・タイム情報とアウト・タイム情報として提供される各ＰＴＳは、プレイアイテムを、スチール・ピクチャ・ストリームに関連付けられるクリップ情報ファイルのスチール・ピクチャ・エントリー・ポイント・マップにリンクする。イン・タイムＰＴＳは、再生されることになるイニシャル・ピクチャ（initial picture）、この例ではスチール・ピクチャ・エントリー・ポイント・マップ内の第１エントリー・ポイント（ＥＰ  ＃１）により参照されるスチール・ピクチャに対応するピクチャ、のＰＴＳであり、アウト・タイムＰＴＳは、再生されることになる最終ピクチャ（last picture）、この例ではスチール・ピクチャ・エントリー・ポイント・マップ内の第ｋエントリー・ポイント（ＥＰ  ＃ｋ）により参照されるスチール・ピクチャに対応するピクチャ、のＰＴＳである。
【００２６】
プレイリスト内のサブプレイアイテム（SubPlayItem）には、スチール・ピクチャ・ファイルに関連して再生されることになる個別のオーディオ・ファイルに対する、サブプレイアイテム・イン・タイム（ＳｕｂＰｌａｙＩｔｅｍ_ＩＮ_ｔｉｍｅ）情報とサブプレイアイテム・アウト・タイム（ＳｕｂＰｌａｙＩｔｅｍ_ＯＵＴ_ｔｉｍｅ）情報を収容する。オーディオ・データは、関連付けられたスチール・イメージと同期して、または非同期で再生すことができる。
【００２７】
オーディオ・ファイルに対応するクリップ情報ファイルは、オーディオ・ストリームに対するエントリー・ポイント・マップ（ＥＰ＿ＭＡＰ）を記録する。オーディオ・エントリー・ポイント・マップの各エントリー・ポイントはオーディオ・データ・ストリームの各オーディオ・ユニットに関連付けられ、各オーディオ・ユニットは、オーディオ・ファイルに記録された所定個数のオーディオ・フレーム（Audio Frames）をグルーピングして形成される。
【００２８】
図５に示したように、再生装置は、再生する期間中、プレイリスト（PlayList）内に含まれたプレイアイテム（PlayItem）に関連付けられたスチール・ピクチャのエントリー・ポイント・マップ（ＥＰ_ＭＡＰ  ｆｏｒ  Ｓｔｉｌｌ）を参照して、該当スチール・ピクチャ及び関連データを読み出す。同時に、再生装置は、プレイリストに含まれたサブプレイアイテム（SubPlayItem）に関連付けられたオーディオ・データのエントリー・ポイント・マップ（ＥＰ_ＭＡＰ  ｆｏｒ  Ａｕｄｉｏ）を参照して、オーディオ・データを再生する。このように、オーディオ・データとスチール・ピクチャ・データは、たとえば、スライド・ショーなどに対して、相互に関連付けられて再生することができる。
【００２９】
スチール・ピクチャを再生する時、再生装置は、スチール・ピクチャに関連付けられたエントリー・ポイントに記録されたＰＴＳとその次のエントリー・ポイントに記録されたＰＴＳとの間の差、またはスチール・ピクチャのＰＥＳとその次のＰＥＳと間の差を計算して、これに基づいて該当スチール・ピクチャに対するプレゼンテーション・デュレーションを決定する。ＰＴＳ間の差の零（Ｚｅｒｏ）は、無限の表示期間を指し示し、それを打ち消すユーザ入力（たとえば、次のピクチャを再生するなどの）が受信されるまで、そのスチール・ピクチャが再生される。正の差は、その決定された差と等しい、またはその差に比例する有限の表示期間を指し示す。スチール・ピクチャは、有限のプレゼンテーション・デュレーションの間、持続的に再生され、またはユーザのキー入力が受信される時まで、再生される。
【００３０】
再生装置は、オーディオ・データのエントリー・ポイント・マップに含まれたエントリー・ポイントを参照して、スチール・ピクチャに対応するオーディオ・ユニットのデータを再生する。図５に示したように、同じスチール・ピクチャが続けて再生される間、複数のオーディオ・ユニットが連続的に再生されることができる。オーディオ・データは、スチール・ピクチャとリンクし、または同期することができる。この場合、オーディオ・エントリー・ポイント・マップは、複数のエントリー・ポイントを含み、これらは、関連するスチール・ピクチャのＰＴＳに関連するデータの関連付けられたオーディオ・ユニットのＰＴＳを有する。非同期再生では、オーディオ・データは、スチール・ピクチャとは無関係に、再生される。
【００３１】
各エントリー・ポイント・マップ内のオーディオ・データ及びスチール・ピクチャ・データのＰＴＳは、スチール・ピクチャとオーディオ・データを同期された状態で再生する間にユーザが探索動作を遂行する場合に、特に有用である。再生中に、ユーザが探索を要求する際、再生装置は、オーディオ・データ・ユニットの各エントリー・ポイントに記録されたＰＴＳ値を参照して、ユーザが要求した再生位置に対応するオーディオ・エントリー・ポイント、またはユーザが要求した再生位置に近接した任意のオーディオ・エントリー・ポイント、を探索することができる。
【００３２】
図５に示したように、例えば、６番目のオーディオ・エントリー・ポイントを再生する間、ユーザが現在の再生位置より２０秒以前のオーディオの再生を要求することができる。この場合、オーディオ・エントリー・ポイント・マップ内のオーディオ・データ・ユニットのＰＴＳから決定されるとして、第３オーディオ・エントリー・ポイントが、現在再生位置から計られた場合に２０秒前に該当する再生位置を有する、と仮定する。ここで、再生装置は、オーディオ・エントリー・ポイント・マップ内のＰＴＳを利用して、ユーザの要求に応じて第３オーディオ・エントリー・ポイントを選択する。また、再生装置はスチール・ピクチャ・エントリー・ポイント・マップにより提供されるスチール・ピクチャのＰＴＳを利用して、第３オーディオ・エントリー・ポイントにリンクされるスチール・ピクチャのエントリー・ポイントを探索する。図５の実施形態において、この探索は、スチール・ピクチャ・エントリー・ポイント・マップの第１エントリー・ポイント（ＥＰ  ＃１）の位置を突きとめて、対応する第１スチール・ピクチャを、第３オーディオ・エントリー・ポイントに対応するオーディオ・ユニットと共に再生することを決定すること、に帰着する。
【００３３】
したがって、本発明の実施形態による記録媒体のデータ構造は、オーディオ・エントリー・ポイント・マップを参照にして、ユーザが要求した時間に対応するオーディオ・データを探索して再生すること、及びオーディオ・データに関連付けられたスチール・ピクチャを同時に再生すること、を提供する。
【００３４】
図６では本発明によるプレイリストとプレイアイテムの他の実施形態を図示している。図示するように、プレイリスト内に含まれるプレイアイテムは、スチール・ピクチャ・データを再生するためのエントリー・ポイント・マップ（ＥＰ_ＭＡＰ  ｆｏｒ  Ｓｔｉｌｌ）と、オーディオ・データを再生するためのエントリー・ポイント・マップ（ＥＰ_ＭＡＰ  ｆｏｒ  Ａｕｄｉｏ）とにリンクすることができる。また、図６には図示していないが、スチール・ピクチャ・データとオーディオ・データは、一つのファイル内に多重化することができる。
【００３５】
図７では本発明によるエントリー・ポイント・マップの他の実施形態を図示している。図示したように、オーディオ・エントリー・ポイント・マップは、スチール・ピクチャ・エントリー・ポイント・マップに統合されて、オーディオ・データとスチール・ピクチャ・データとを一つのエントリー・ポイント・マップで管理することができる。この実施形態において、このエントリー・ポイントは、タイプ・フラッグ（ＥＰ_Ｔｙｐｅ_Ｆｌａｇ）を含む。スチール・ピクチャとオーディオ・ユニットとがリンクされる（例えば、同時再生に対して）エントリー・ポイントに対して、エントリー・ポイント・タイプ・フラッグは、対応するエントリー・ポイントがスチール・ピクチャとオーディオとに同時にリンクすることを指し示す‘１’に設定される。オーディオ・ユニットのみをリンクするエントリー・ポイントに対しては、そのエントリー・ポイント・タイプ・フラッグは‘０’に設定される。
【００３６】
図８では本発明によるエントリー・ポイント・マップの、さらに別の実施形態を図示している。図示したように、エントリー・ポイント・タイプ・フラッグは、エントリー・ポイントがスチール・ピクチャにだけリンクする場合まで拡張される。例えば、エントリー・ポイント・タイプ・フラッグが‘００’の場合該当エントリー・ポイントはオーディオにだけリンクする。エントリー・ポイント・タイプ・フラッグが‘０１’の場合、該当エントリー・ポイントはスチール・ピクチャとオーディオに同時にリンクする。及び、エントリー・ポイント・タイプ・フラッグが‘１０’の場合、該当エントリー・ポイントはスチール・ピクチャにだけリンクする。
【００３７】
したがって、再生装置は、一つのエントリー・ポイント・マップ内のエントリー・ポイントとエントリー・ポイント・タイプ情報を参照して、ユーザが要求した再生時間に対応するオーディオとスチール・ピクチャをそれぞれ探索し、対応するオーディオとスチール・ピクチャを互いに関連する態様で再生することができる。
【００３８】
図９は、本発明を適用することができる光ディスク装置の部分的な構造の概略図を示している。図示したように、光ディスク装置は光ディスクからデータを再生するための光ピックアップ１１１を含む。ＶＤＰ（Video Disc Play）システム１１２は、光ピックアップ１１１の再生動作を制御して光ピックアップ１１１により再生されるデータを復調する。ＶＤＰシステム１１２は、ＡＶストリームを再生して、ＡＶストリームは、Ｄ／Ａ変換器１１３を経てアナログＡＶストリームに変換される。
【００３９】
ＶＤＰシステム１１２は、ユーザー・インターフェースを介したユーザ入力と、本発明の実施形態にしたがって光ディスク上に記録されたナビゲーション及び管理情報とに基づいて、光ピックアップ１１１を制御して再生されるデータをデモジュレーションする。例えば、ＶＤＰシステム１１２は、先に説明したようにクリップ情報ファイル内に含まれるプレイリストとエントリー・ポイント・マップを参照し、スチール・ピクチャ及び／またはオーディオ・データを再生する。
【００４０】
図１０は、本発明による光ディスク記録及び再生装置の実施形態の概略構成を示したものである。図示したように、Ａ／Ｖエンコーダ９は、データ（例えばスチール・イメージ・データ、オーディオ・データなど）を受けてエンコーディングする。Ａ／Ｖエンコーダ９は、エンコーディングされたデータを、コーディング情報とストリーム属性情報と共に出力する。マルチプレクサ８は、エンコーディングされたデータを、コーディング情報とストリーム属性情報とに基づいて多重化（マルチプレックス）し、例えば、ＭＰＥＧ−２伝送ストリーム（ＭＰＥＧ−２ transport stream）を生成しる。ソース・パケッタイザー（Source packetizer）７は、マルチプレクサ８からの伝送パケットを、光ディスクのオーディオ・ビデオ・フォーマットにしたがってソース・パケットにパケット化する。図１０に示したように、Ａ／Ｖエンコーダ９、マルチプレクサ８、そしてソース・パケッタイザー７の動作は、コントローラ１０によりコントロールされる。コントローラ１０は、記録操作に関するユーザ入力を受信し、Ａ／Ｖエンコーダ９、マルチプレクサ８、そしてソース・パケッタイザー７に制御情報を送る。例えば、コントローラ１０は、Ａ／Ｖエンコーダ９に実行するエンコーディングのタイプを指示し、マルチプレクサ８に、生成する伝送ストリームを指示し、及びソース・パケッタイザー７にソース・パケットのフォーマットを指示する。また、コントローラ１０は、光ディスク上にソース・パケッタイザー７の出力を記録するようにドライバ３を制御する。
【００４１】
また、コントローラ１０は、光ディスクに記録されるデータの再生を管理するためのナビゲーション情報と管理情報を生成する。例えば、ユーザー・インターフェース（例えば、ディスク上に格納された命令セット、コンピュータ・システムによりイントラネットまたはインターネットを介して提供された命令セット）を介して受けた情報に基づいて、コントローラ１０は、光ディスクに、図１ないし図８のデータ構造のうち一つまたはそれ以上を記録するように、ドライバ３を制御する。
【００４２】
再生する期間、コントローラ１０は、データ構造を再生するようにドライバ３を制御する。ディスクに収容された情報とユーザー・インターフェース（例えば、記録及び再生装置上の操作ボタン、またはその装置に関連付けられたリモート）を介して受けたユーザ入力に基づいて、コントローラ１０は、光ディスクからデータを再生するようにドライバ３を制御する。例えば、本発明の実施形態について上述したように、一つのスチール・イメージまたは一群のスチール・イメージが、ナビゲーション情報に基づいてオーディオ・データに関連して再生することができる。また、一つのイメージまたは一群のイメージが、スライド・ショーまたはスライド・ショーの一部として再生することもできる。説明されたように、スライド・ショーは、同期化されたり、選択して表示させたり（browsable）すること、などができる。
【００４３】
再生されたソース・パケットは、ソース・デパケッタイザー（Source Depacketizer）４に受信され、データ・ストリーム（例えば、ＭＰＥＧ−２伝送パケット・ストリーム）に変換される。デマルチプレクサ５は、データ・ストリームをエンコーディングされたデータにデマルチプレックスする。Ａ／Ｖデコーダー６は、エンコーディングされたデータをデコーディングして、ＡＶエンコーダ９に渡された元のデータを生成する。再生する間、コントローラ１０は、ソース・デパケッタイザー４、デマルチプレクサ５、およびＡ／Ｖデコーダー６の動作を制御する。コントローラ１０は、再生操作に関するユーザ入力を受信し、ソース・デパケッタイザー４、デマルチプレクサ５、およびＡ／Ｖデコーダー６に、制御情報を送る。例えば、コントローラ１０は、ソース・デパケッタイザー４にソース・パケットのフォーマットを指示して、マルチプレクサ５にデマルチプレックスする伝送ストリームを指示して、そしてＡ／Ｖデコーダー６に実行するデコーディング類型を指示する。
【００４４】
図１０には記録／再生装置に関して図示しているが、図１０の構成要素一部だけを使用して記録動作だけを提供する専用記録装置、または再生動作だけを提供する専用再生装置も可能であることが理解されよう。
【００４５】
上述したことから認識されるように、本発明は、高密度記録媒体（例えば、ＢＤ−ＲＯＭのような高密度光ディスク）に記録されるスチール・イメージを管理するためのデータ構造を有する記録媒体を提供する。例えば、このデータ構造は、様々な方法で、スチール・イメージを表示することができ、及びオーディオ・データを再生することを可能とする。
【００４６】
本発明による高密度記録媒体のスチール・イメージを管理する方法は、再生期間管理（duration management）のような多様なスチール制御動作を提供して、関連するサブタイトル・データまたはグラフィック・イメージと共に、スチール・イメージの効果的にリンクした再生を可能にする。
【００４７】
上述した記述から明らかなように、本発明は、記録媒体に記録されるスチール・イメージを管理するために、高密度記録媒体にデータ構造を記録する方法と装置を提供する。
【００４８】
上述した記述は、スチール・イメージの再生を管理するために、高密度記録媒体に記録されたデータ構造に基づいて、高密度記録媒体に記録されたスチール・イメージを再生する方法と装置を提供する。
【００４９】
本発明が、制約された数の実施形態に関して開示したが、この開示によって利益を有する当業者は、これらからの様々な改良や変形の真価を認めるでしょう。例えば、いくつかの例としてＢＤ−ＲＯＭ光学ディスクに関して説明したが、この規格の光学ディスクあるいは、他の光学ディスクに制約されない、ことが理解されよう。すべてのこのような改良及び変形は、本発明の精神と範囲に含まれることが意図されている。
【図面の簡単な説明】
【００５０】
【図１】本発明による記録媒体のファイルまたはデータ構造の例示的実施形態を示す図である。
【図２】図１に示すデータ構造を有する記録媒体の例を示す図である。
【図３】図１に示すデータ構造の一部に対する具体的な実施形態と、本発明による高密度記録媒体のスチール・イメージを管理する方法とを示す図である。
【図４】図１に示すデータ構造の一部に対する具体的な実施形態と、本発明による高密度記録媒体のスチール・イメージを管理する方法を示す図である。
【図５】図４に示すデータ構造を利用して、スチール・ピクチャとオーディオ・データ・ユニットを再生する例を示す図である。
【図６】図１に示すデータ構造の一部に対する具体的な実施形態と、本発明による高密度記録媒体のスチール・イメージを管理する方法を示す図である。
【図７】本発明によるエントリー・ポイント・マップの他の実施形態を示す図である。
【図８】本発明によるエントリー・ポイント・マップの、さらに他の実施形態を示す図である。
【図９】本発明が適用される光ディスク再生装置の一部に対する構成を示す図である。
【図１０】本発明による記録及び再生装置の実施形態を示す図である。
【図１】
2006520060.tif 000003
【図２】
2006520060.tif 000004
【図３】
2006520060.tif 000005
【図４】
2006520060.tif 000006
【図５】
2006520060.tif 000007
【図６】
2006520060.tif 000008
【図７】
2006520060.tif 000009
【図８】
2006520060.tif 000010
【図９】
2006520060.tif 000011
【図１０】
2006520060.tif 000012
【国際調査報告】
2006520060.tif 000013